(57)【要約】【課題】グランドピアノの鍵盤蓋を開いた際に生じる鍵盤蓋とピアノ本体との間隙に楽譜や筆記用具等がピアノ本体内部へ落下するのを防止するとともに、鍵盤上に滑り落ちるのを防止することが可能な落下防止カバーの提供。【解決手段】グランドピアノの鍵盤蓋が開かれた状態において鍵盤蓋の前框部に沿って延び、当該前框部の上面に載置される帯状の前方支持部２であり、前框部と接触する下面に滑り止め部を有する前方支持部２と、前方支持部２と平行に延び、グランドピアノのピアノ本体の前部上面に載置される帯状の後方支持部３であり、ピアノ本体の前部上面と接触する下面に滑り止め部を有する後方支持部３と、前方支持部２と後方支持部３との間に構成される落下物受部４であり、前框部の上面とピアノ本体の前部上面との間で鍵盤蓋とピアノ本体との間隙内に凹状に垂れ下がる落下物受部４とからなる。【選択図】図１
2020027226.tif 000002
【特許請求の範囲】
【請求項１】
グランドピアノの鍵盤蓋が開かれた状態において鍵盤蓋の前框部に沿って延び、当該前框部の上面に載置される帯状の前方支持部であり、前記前框部と接触する下面に滑り止め部を有する前方支持部と、
前記前方支持部と平行に延び、前記グランドピアノのピアノ本体の前部上面に載置される帯状の後方支持部であり、前記ピアノ本体の前部上面と接触する下面に滑り止め部を有する後方支持部と、
前記前方支持部と前記後方支持部との間に構成される落下物受部であり、前記前框部の上面と前記ピアノ本体の前部上面との間で前記鍵盤蓋と前記ピアノ本体との間隙内に凹状に垂れ下がる落下物受部と
からなる落下防止カバー。
【請求項２】
前記前方支持部および前記後方支持部は、内部に補強用の芯材を有する請求項１記載の落下防止カバー。
【請求項３】
前記前方支持部と前記後方支持部との間が８〜１５ｃｍである請求項１または２に記載の落下防止カバー。
【発明の詳細な説明】
【技術分野】
【０００１】
本発明は、グランドピアノの鍵盤蓋を開いた際に生じる鍵盤蓋とピアノ本体との間隙を覆うことにより、この間隙に楽譜や筆記用具等がピアノ本体内部へ落下するのを防止する落下防止カバーに関する。
【背景技術】
【０００２】
グランドピアノの鍵盤蓋を開いた際、鍵盤蓋とピアノ本体との間に隙間が存在する。そのため、譜面台に置かれた楽譜や筆記用具等がわずかな振動によって、この間隙に落下することがある。そこで、例えば特許文献１に記載のように、この鍵盤蓋とピアノ本体との隙間に楽譜や筆記用具等が落下するのを防止する鍵盤蓋用カバーが考案されている。
【０００３】
特許文献１の鍵盤蓋用カバーは、帯状の布地からなる本体部と、本体部の前方縁部に構成され、内部にゴム紐が収容された袋状部と、本体部の後方縁部に構成され、内部に磁石が固定された袋状部と、本体部の両端の延長部と前方の縁部と袋状部の両端部との間に形成され、鍵盤蓋の先端角部に取り付けるための鍵盤蓋用係止部と、本体部の両端部の後方側に一端が縫い込まれ、ピアノ本体に固定するための取り付け用紐とから構成される。
【０００４】
この鍵盤蓋用カバーは、鍵盤蓋用係止部を鍵盤蓋の両端の先端角部に嵌め込むようにして係止し、その後、本体部の延長部に取り付けた取付用紐をピアノ本体の反響板の支柱に結び付けるとともに、磁石を内部の金属板の表面に固定することで、ゴム紐、磁石および取付用紐により鍵盤蓋の上端全面に固定され、ピアノ本体に確実に取り付けられるため、鍵盤蓋が開かれている際に外れるおそれはないとされ、この状態でピアノが演奏される。
【０００５】
そして、ピアノの演奏やその指導に際して、譜面台に楽譜や筆記用具を置くことになるが、この鍵盤蓋用カバーによれば、ピアノ本体と鍵盤蓋とピアノ本体との間隙の上面が全面的に覆われているため、演奏による振動や不注意により楽譜や筆記用具が間隙に落下し、鍵盤蓋の表面に沿って落下して、ピアノの内部に転落することが防止される。
【先行技術文献】
【特許文献】
【０００６】
【特許文献１】登録実用新案第３１７６６７３３号公報
【発明の概要】
【発明が解決しようとする課題】
【０００７】
しかしながら、上記鍵盤蓋用カバーでは、本体部の前方縁部において鍵盤蓋用係止部が鍵盤蓋の両端の先端角部に嵌め込まれ、本体部の後方縁部において磁石によりピアノ本体内部の金属板の表面に固定されており、本体部の上面は全面に渡って平坦となっている。そのため、ピアノの演奏中に楽譜や筆記用具が間隙に落下することは防止できるものの、落下した楽譜や筆記用具がこの本体部の上面に沿って鍵盤上に滑り落ちることがある。
【０００８】
そこで、本発明においては、グランドピアノの鍵盤蓋を開いた際に生じる鍵盤蓋とピアノ本体との間隙に楽譜や筆記用具等がピアノ本体内部へ落下するのを防止するとともに、鍵盤上に滑り落ちるのを防止することが可能な落下防止カバーを提供することを目的とする。
【課題を解決するための手段】
【０００９】
本発明の落下防止カバーは、グランドピアノの鍵盤蓋が開かれた状態において鍵盤蓋の前框部に沿って延び、当該前框部の上面に載置される帯状の前方支持部であり、前框部と接触する下面に滑り止め部を有する前方支持部と、前方支持部と平行に延び、グランドピアノのピアノ本体の前部上面に載置される帯状の後方支持部であり、ピアノ本体の前部上面と接触する下面に滑り止め部を有する後方支持部と、前方支持部と後方支持部との間に構成される落下物受部であり、前框部の上面とピアノ本体の前部上面との間で鍵盤蓋とピアノ本体との間隙内に凹状に垂れ下がる落下物受部とからなる。
【００１０】
本発明の落下防止カバーは、グランドピアノの鍵盤蓋が開かれた状態において鍵盤蓋の前框部の上面に前方支持部を載置するとともに、ピアノ本体の前部上面に後方支持部を載置するだけで、前方支持部の下面の滑り止め部および後方支持部の下面の滑り止め部により本発明の落下防止カバーが鍵盤蓋の前框部の上面とピアノ本体の前部上面とに支持され、前框部の上面とピアノ本体の前部上面との間で鍵盤蓋とピアノ本体との間隙内に落下物受部が凹状に垂れ下がった状態で取り付けられる。
【００１１】
ここで、前方支持部および後方支持部は、内部に補強用の芯材を有することが望ましい。これにより、鍵盤蓋の前框部の上面とピアノ本体の前部上面とに支持される前方支持部および後方支持部の形状が平面状に維持されるようになり、前方支持部の下面の滑り止め部および後方支持部の下面の滑り止め部と鍵盤蓋の前框部の上面およびピアノ本体の前部上面との接触が維持されるので、それぞれの滑り止め部の摩擦力を発揮し続けることができる。
【発明の効果】
【００１２】
（１）グランドピアノの鍵盤蓋が開かれた状態において鍵盤蓋の前框部に沿って延び、当該前框部の上面に載置される帯状の前方支持部であり、前框部と接触する下面に滑り止め部を有する前方支持部と、前方支持部と平行に延び、グランドピアノのピアノ本体の前部上面に載置される帯状の後方支持部であり、ピアノ本体の前部上面と接触する下面に滑り止め部を有する後方支持部と、前方支持部と後方支持部との間に構成される落下物受部であり、前框部の上面とピアノ本体の前部上面との間で鍵盤蓋とピアノ本体との間隙内に凹状に垂れ下がる落下物受部とからなる落下防止カバーによれば、演奏による振動や不注意により落下した楽譜や筆記用具等の落下物は、前框部の上面とピアノ本体の前部上面との間で鍵盤蓋とピアノ本体との間隙内に凹状に垂れ下がった状態の落下物受部により受け止められるので、グランドピアノの鍵盤蓋を開いた際に生じる鍵盤蓋とピアノ本体との間隙に楽譜や筆記用具等がピアノ本体内部へ落下するのを防止することができるとともに、鍵盤上に滑り落ちるのを防止することができる。
【００１３】
（２）前方支持部および後方支持部が、内部に補強用の芯材を有する構成により、鍵盤蓋の前框部の上面とピアノ本体の前部上面とに支持される前方支持部および後方支持部の形状が平面状に維持され、それぞれの滑り止め部の摩擦力を発揮し続けるので、本発明の落下防止カバーを鍵盤蓋の前框部の上面およびピアノ本体の前部上面との間に安定して支持することが可能となる。
【図面の簡単な説明】
【００１４】
【図１】本発明の実施の形態における落下防止カバーの斜視図である。
【図２】図１の落下防止カバーの下面図である。
【図３】図１のＩＩＩ−ＩＩＩ断面図である。
【図４】本発明の実施の形態における落下防止カバーの使用状態を示す部分断面図である。
【発明を実施するための形態】
【００１５】
図１は本発明の実施の形態における落下防止カバーの斜視図、図２は図１の落下防止カバーの下面図、図３は図１のＩＩＩ−ＩＩＩ断面図、図４は本発明の実施の形態における落下防止カバーの使用状態を示す部分断面図である。
【００１６】
図１〜図４に示すように、本発明の実施の形態における落下防止カバー１は、グランドピアノの鍵盤蓋Ｇ１が開かれた状態において鍵盤蓋Ｇ１の前框部Ｇ２の上面Ｇ２０に載置される前方支持部２と、グランドピアノのピアノ本体Ｇ０の前部Ｇ３の上面Ｇ３０に載置される後方支持部３と、前方支持部２と後方支持部３との間に構成される落下物受部４とから構成される。
【００１７】
前方支持部２は、グランドピアノの鍵盤蓋Ｇ１が開かれた状態において鍵盤蓋Ｇ１の前框部Ｇ２に沿って延びる帯状である。前方支持部２の下面、すなわち鍵盤蓋Ｇ１の前框部Ｇ２と接触する下面には、滑り止め部としての滑り止めシート５が貼着されている。滑り止めシート５は、鏡面仕上げされたグランドピアノの表面（鍵盤蓋Ｇ１の前框部Ｇ２の上面Ｇ２０）と接触して摩擦力を発揮し、前方支持部２を鍵盤蓋Ｇ１の前框部Ｇ２上に留め置くものである。
【００１８】
後方支持部３は、前方支持部２と平行に延びる帯状である。後方支持部３の下面、すなわち、ピアノ本体Ｇ０の前部Ｇ３の上面Ｇ３０と接触する下面にも、前方支持部２と同様に、滑り止め部としての滑り止めシート５が貼着されている。また、前方支持部２および後方支持部３の内部には、それぞれ補強用の芯材としての厚さ１ｍｍのプラスチック板６が設けられている。
【００１９】
落下防止カバー１は、図３に示すように、２枚の布７を貼り合わせて形成されている。プラスチック板６は、前方支持部２および後方支持部３の位置において、この２枚の布７の間に挟み込むようにして貼着される。滑り止めシート５は下側の布７の下面に貼着される。なお、プラスチック板６に代えてカルトン紙などの他の芯材を用いることも可能である。
【００２０】
落下物受部４は、前方支持部２が鍵盤蓋Ｇ１の前框部Ｇ２の上面Ｇ２０に支持され、後方支持部３がピアノ本体Ｇ０の前部Ｇ３の上面Ｇ３０に支持された状態において、前框部Ｇ２の上面Ｇ２０とピアノ本体Ｇ０の前部Ｇ３の上面Ｇ３０との間で鍵盤蓋Ｇ１とピアノ本体Ｇ０との間隙Ｇ４内に、その自重により凹状に垂れ下がる。
【００２１】
上記構成の落下防止カバー１は、グランドピアノの鍵盤蓋Ｇ１が開かれた状態において鍵盤蓋Ｇ１の前框部Ｇ２の上面Ｇ２０に前方支持部２を載置するとともに、ピアノ本体Ｇ０の前部Ｇ３の上面Ｇ３０に後方支持部３を載置するだけで、前方支持部２および後方支持部の下面の滑り止めシート５により鍵盤蓋Ｇ１の前框部Ｇ２の上面Ｇ２０とピアノ本体Ｇ０の前部Ｇ３の上面Ｇ３０とに支持される。これにより、前框部Ｇ２の上面Ｇ２０とピアノ本体Ｇ０の前部Ｇ３の上面Ｇ３０との間で鍵盤蓋Ｇ１とピアノ本体Ｇ０との間隙Ｇ４内に落下物受部４が凹状に垂れ下がった状態で取り付けられる。
【００２２】
そして、ピアノの演奏やその指導に際して、譜面台Ｇ５に楽譜や筆記用具等を置くことになるが、演奏による振動や不注意によりこの譜面台Ｇ５から落下した楽譜や筆記用具等の落下物は、鍵盤蓋Ｇ１の前框部Ｇ２の上面Ｇ２０とピアノ本体Ｇ０の前部Ｇ３の上面Ｇ３０との間で鍵盤蓋Ｇ１とピアノ本体Ｇ０との間隙Ｇ４内に凹状に垂れ下がった状態の落下物受部４により受け止められる。そのため、鍵盤蓋Ｇ１とピアノ本体Ｇ０との間隙Ｇ４に楽譜や筆記用具等がピアノ本体内部Ｇ６へ落下するのを防止することができる。また、落下物は凹状に垂れ下がった落下物受部４内に保持されるので、落下防止カバー１上から鍵盤Ｇ７上に滑り落ちるのを防止することができる。
【００２３】
なお、グランドピアノのメーカーによっては鍵盤蓋Ｇ１が開かれた状態において鍵盤蓋Ｇ１の前框部Ｇ２の上面Ｇ２０の高さとピアノ本体Ｇ０の座遠部Ｇ３の上面Ｇ３０の高さとが異なり、鍵盤蓋Ｇ１の前框部Ｇ２の上面Ｇ２０の方が高かったり、ピアノ本体Ｇ０の前部Ｇ３の上面Ｇ３０の方が高かったりするが、本実施形態における落下防止カバー１では、前方支持部２と後方支持部３との間の落下物受部４が自在に変形するため、対応することが可能である。
【００２４】
また、本実施形態における落下防止カバー１は、前方支持部２および後方支持部３の内部に補強用の芯材としてのプラスチック板６を有するので、鍵盤蓋Ｇ１の前框部Ｇ２の上面Ｇ２０とピアノ本体Ｇ０の前部Ｇ３の上面Ｇ３０とに支持される前方支持部２および後方支持部３の形状が平面状に維持されるようになる。これにより、前方支持部２および後方支持部３のそれぞれの下面の滑り止めシート５と鍵盤蓋Ｇ１の前框部Ｇ２の上面Ｇ２０およびピアノ本体Ｇ０の前部Ｇ３の上面Ｇ３０との接触が維持されるので、それぞれの滑り止めシート５の摩擦力を発揮し続けることができ、落下防止カバー１は鍵盤蓋Ｇ１の前框部Ｇ２の上面Ｇ２０およびピアノ本体Ｇ０の前部Ｇ３の上面Ｇ３０との間に安定して支持される。
【００２５】
なお、本実施形態における落下防止カバー１は、長手方向の長さが１３３ｃｍであるが、この長さはグランドピアノの鍵盤蓋の長さに応じて、例えば１３０〜１４０ｃｍ、より好ましくは１３３〜１３７ｃｍとするのが良い。また、短手方向の幅は２０ｃｍであり、この幅であればグランドピアノのメーカー（製品）に関わらず対応することが可能である。なお、短手方向の幅は１８〜２２ｃｍ程度とするのが良い。
【００２６】
また、前方支持部２および後方支持部３の幅は４ｃｍであり、落下物受部４の幅は１２ｃｍである。前方支持部２の幅は、鍵盤蓋Ｇ１の前框部Ｇ２の幅に応じて、例えば３〜５ｃｍとすることが望ましい。後方支持部３の幅は、前方支持部２の幅と同程度、例えば３〜５ｃｍとすることが望ましい。落下物受部４の幅は、例えば８〜１５ｃｍとすることが望ましい。これにより、グランドピアノのメーカー（製品）に関わらず、前框部Ｇ２の上面Ｇ２０とピアノ本体Ｇ０の前部Ｇ３の上面Ｇ３０との間で鍵盤蓋Ｇ１とピアノ本体Ｇ０との間隙内に落下物受部４が凹状に垂れ下がるようになる。
【００２７】
また、本実施形態における落下防止カバー１は、容易に折り畳んで携帯することが可能であるため、自宅のピアノだけではなく、例えばレッスンの出張先やセミナーで使用する他のピアノにも使用することが可能である。
【産業上の利用可能性】
【００２８】
本発明は、グランドピアノの鍵盤蓋を開いた際に生じる鍵盤蓋とピアノ本体との間隙を覆い、この間隙に楽譜や筆記用具等がピアノ本体内部へ落下するのを防止する落下防止カバーとして有用である。
【符号の説明】
【００２９】
１  落下防止カバー
２  前方支持部
３  後方支持部
４  落下物受部
５  滑り止めシート
６  プラスチック板
７  布
【図１】
2020027226.tif 000003
【図２】
2020027226.tif 000004
【図３】
2020027226.tif 000005
【図４】
2020027226.tif 000006